(57)【要約】  【課題】  多様な陳列面を演出することができるとともに、陳列面への設置が容易で、度決めの効いた仕切りが可能な商品陳列台を提供すること。  【解決手段】  仕切り板３０が嵌合する嵌合溝１１１を有する基台１０と、基台１０上に載置される陳列面２１を有する陳列台２０と、嵌合溝１１１に嵌合して陳列面２１に陳列される商品を左右方向に区画する仕切り板３０を備える商品陳列台１。【選択図】        図１
2006020844.tif 000002
【特許請求の範囲】
【請求項１】
仕切り板が嵌合する嵌合部を有する基台と、該基台上に載置される陳列面を有する陳列台と、該嵌合部に嵌合して該陳列面に陳列される商品を左右方向に区画する仕切り板を備えることを特徴とする商品陳列台。
【請求項２】
前記嵌合部が嵌合縦溝であって、前記仕切り板が板状物であることを特徴とする請求項１記載の商品陳列台。
【請求項３】
前記嵌合部が嵌合凸部又は嵌合凹部であって、前記仕切り板の当該嵌合部に対向する位置にそれぞれ嵌合凹部又は嵌合凸部を有することを特徴とする請求項１記載の商品陳列台。
【請求項４】
前記基台は、少なくとも底板と、該底板の後方端から立設する後方板からなることを特徴とする請求項１〜３のいずれか１項記載の商品陳列台。
【請求項５】
前記仕切り板は、該仕切り板の下端形状が、該陳列台の陳列面に沿った形状であることを特徴とする請求項１〜４のいずれか１項記載の商品陳列台。
【請求項６】
該基台の幅寸法と該陳列台の幅寸法は、略同一であることを特徴とする請求項１〜５のいずれか１項記載の商品陳列台。
【請求項７】
該商品が、青果物であることを特徴とする請求項１〜６のいずれか１項記載の商品陳列台。
【発明の詳細な説明】
【技術分野】
【０００１】
本発明は、主として青果物売り場で使用される種々の形態の陳列面を演出し、ボリューム感のある陳列ができると共に陳列安定性に優れる商品陳列台に関するものである。
【背景技術】
【０００２】
従来、青果物売り場で使用される商品陳列台は、例えば図１２及び図１３に示されるように、平面状あるいは階段状の陳列面１０２、２０２を有する陳列台１０５、２０５と、商品仕切り板１０１、２０１とから構成されている。この商品仕切り板１０１、２０１は下端縁が陳列面１０２、２０２の輪郭形状に対応する形状を有する鉛直部材である商品仕切り板本体１０３、２０３と、該下端縁がＴ字形断面を構成する水平部材である基板１０４、２０４を有するものである。また、下端縁がＬ字形断面を構成する基板を用いた商品仕切り板もある。
【非特許文献１】「SALES PROMOTION CATALOG ‘02〜」KAWAJUN、第83頁、2002年発行
【発明の開示】
【発明が解決しようとする課題】
【０００３】
しかしながら、従来の商品陳列台１００、２００における商品仕切り板１０１、２０１は自立型であるため、仕切り板の設置等の作業性はよいものの、商品仕切り板１０１、２０１が転倒することが多く、商品間の仕切りの乱れが問題となる。また、陳列面の形状が単純であるため、陳列の演出効果に乏しく、顧客の目を引く陳列ができないという問題がある。このため、多様な陳列面を演出することができ、陳列面への設置が容易で、度決めの効いた仕切りが可能な商品陳列台及びこれに用いる商品陳列補助台の開発が望まれていた。
【０００４】
従って、本発明の目的は、多様な陳列面を演出することができるとともに、陳列面への設置が容易で、度決めの効いた仕切りが可能な商品陳列台及びこれに用いる商品陳列補助台を提供することにある。
【課題を解決するための手段】
【０００５】
かかる実情において、本発明者らは鋭意検討を行った結果、仕切り板が嵌合する嵌合部を有する基台と、該基台上に載置される陳列面を有する陳列台と、該嵌合部に嵌合して該陳列面に陳列される商品を左右方向に区画する仕切り板を備える商品陳列台であれば、多様な陳列面を演出することができるとともに、陳列面への設置が容易で、度決めの効いた仕切りが可能であることを見出し、本発明を完成するに至った。
【０００６】
すなわち、本発明（１）は、仕切り板が嵌合する嵌合部を有する基台と、該基台上に載置される陳列面を有する陳列台と、該嵌合部に嵌合して該陳列面に陳列される商品を左右方向に区画する仕切り板を備える商品陳列台を提供するものである。
【０００７】
また、本発明（２）は、前記嵌合部が嵌合縦溝であって、前記仕切り板が板状物である前記商品陳列台を提供するものである。また、本発明（３）は、前記嵌合部が嵌合凸部又は嵌合凹部であって、前記仕切り板の当該嵌合部に対向する位置にそれぞれ嵌合凹部又は嵌合凸部を有する前記商品陳列台を提供するものである。また、本発明（４）は、前記基台は、少なくとも底板と、該底板の後方端から立設する後方板からなる前記商品陳列台を提供するものである。また、本発明（５）は、前記仕切り板は、該仕切り板の下端形状が、該陳列台の陳列面に沿った形状である前記商品陳列台を提供するものである。また、本発明（６）は、該基台の幅寸法と該陳列台の幅寸法は、略同一である前記商品陳列台を提供するものである。また、本発明（７）は、該商品が、青果物である前記商品陳列台を提供するものである。
【発明の効果】
【０００８】
本発明の商品陳列台によれば、多様な陳列面を演出することができるとともに、陳列面への設置が容易で、度決めの効いた仕切りが可能となる。また、売り場の商品の陳列の乱れを防ぎ、商品陳列のガイドとして、上方向に積み上げるボリューム感のある商品陳列ができる。
【発明を実施するための最良の形態】
【０００９】
次に、本発明の第１の実施の形態における商品陳列台を図１及び図２を参照して説明する。図１は本実施の形態例の商品陳列台の斜視図であり、図２は図１の商品陳列台の分解斜視図である。商品陳列台１は、仕切り板３０が嵌合する嵌合縦溝１１１、１３１を有する基台１０と、基台１０上に載置される陳列面２１を有する陳列台２０と、嵌合縦溝１１１に嵌合して陳列面２１に陳列される商品を左右方向に区画する仕切り板３０を備える。なお、本明細書中、「前」とは商品取り出し側（顧客側）を言い、「後」とはその反対側を言う。左右方向は前から見た方向を言う。
【００１０】
基台１０は、矩形状の底板１２と、底板１２の前方端から立設するやや低い高さを有する前方板１３と、底板１２の後方端から立設する前方板１３より高い高さを有する後方板１１からなる上方側及び左右両側が開口した枠体である。また、前方板１３の上端面１３２から裏面（内側）にかけて、及び後方板１１の上端面１１２から前面（内側）にかけて、仕切り板３０が嵌合する嵌合縦溝１３１、１１１が左右方向に所定のピッチで多数形成されている。
【００１１】
陳列台２０は、幅寸法が基台１０の幅寸法と同じであり、前後方向の奥行き寸法が基台の前方板１３及び後方板１１間に相当するため、基台１０上、すなわち、底板１２上で且つ前方板１３及び後方板１１間に隙間なく載置され、更に３つの段差を有する階段状の陳列面２１を有する箱状物である。また、陳列台２０の陳列面２１には仕切り板が嵌合する嵌合溝は形成されていない。このため、種々の形状の箱状物を組み合わせて種々の形状の陳列面を容易に形成することができる。
【００１２】
仕切り板３０は、前方係合片３１１及び後方係合片３１２を有し、下方形状が陳列面２１の階段状の形状に対応する板状物であり、前方係合片３１１が基台１０の嵌合縦溝１３１に係合し、後方係合片３１２が基台１０の嵌合縦溝１１１に係合することで、陳列面２１と仕切り板３０間には隙間が生じないようになっている。このように構成された商品陳列台１によれば、仕切り板の陳列面への設置が容易で、度決めの効いた仕切りが可能となる。また、売り場の商品の陳列の乱れを防ぎ、商品陳列のガイドとして、上方向に積み上げるボリューム感のある商品陳列ができる。また、基台と陳列台は別体であるため、陳列面の形態が異なる陳列台を用意すれば、多種多様な陳列を演出することができる。
【００１３】
次に、本発明の第２の実施の形態における商品陳列台を図３及び図４を参照して説明する。図３は本実施の形態例の商品陳列台の斜視図であり、図４は図３の商品陳列台の分解斜視図である。第２の実施の形態における商品陳列台において、図１及び図２と同一構成要素には同一符合を付してその説明を省略し、異なる点について主に説明する。すなわち、図３及び図４において、図１及び図２と異なる点は、基台において、底板の中央に、前方板１３と同じ高さの中間板１４を設置し、基台の表面に表れる全面に嵌合縦溝１１３を形成した点、陳列台において高さの異なる２つの矩形断面形状の箱状物とし、高さが低い箱状物の高さ寸法を設置した状態で前方板１３及び中間板１４の高さと同じとした点、及び仕切り板において後方係合片３１２、中間係合片３１３及び前方係合片３１１を有するようにした点である。このような構成の商品陳列台１ａは商品陳列台１と同様の効果を奏する。
【００１４】
次に、本発明の第３の実施の形態における商品陳列台を図５及び図６を参照して説明する。図５は本実施の形態例の商品陳列台の斜視図であり、図６は図５の商品陳列台の分解斜視図である。第３の実施の形態における商品陳列台において、図１及び図２と同一構成要素には同一符合を付してその説明を省略し、異なる点について主に説明する。すなわち、図５及び図６において、図１及び図２と異なる点は、基台において、前方板１３を省略し、底板の上面と後方板の前面に嵌合縦溝１１４を形成した点、陳列台において傾斜面を有する台形断面形状の箱状物とし、最大高さが後方板の高さよりやや低くし、奥行き寸法を底板の奥行き寸法よりやや短くした点、及び仕切り板において後方係合片３１２及び前方係合片３１１を有するようにした点である。このような構成の商品陳列台１ｂは商品陳列台１と同様の効果を奏する。
【００１５】
次に、本発明の第４の実施の形態における商品陳列台を図７及び図８を参照して説明する。図７は本実施の形態例の商品陳列台の斜視図であり、図８は図７の商品陳列台の分解斜視図である。第４の実施の形態における商品陳列台において、図１及び図２と同一構成要素には同一符合を付してその説明を省略し、異なる点について主に説明する。すなわち、図７及び図８において、図１及び図２と異なる点は、基台において、後方板１１の高さを低くして前方板１３の高さと同程度とし、不図示の補助基台の傾斜面に設置するようにした点、陳列台において陳列面と傾斜をもって底面を切断し補助基台に設置した際に陳列面が水平面となるようにした点、及び仕切り板において後方係合片３１２及び前方係合片３１１を有するようにした点である。このような構成の商品陳列台１ｃは補助基台を用意する必要があるものの、商品陳列台１と同様の効果を奏する。なお、商品陳列台１、１ａ〜１ｃにおいて、陳列台の陳列面の形状としては、上記図面に示したものに限定されず、例えば弧状凹面が連続する陳列面、鋸刃断面形状を呈する陳列面及び不定形面を呈する陳列面が挙げられる。
【００１６】
次に、本発明の第５の実施の形態における商品陳列台を図９を参照して説明する。図９は本実施の形態例の商品陳列台の斜視図である。第５の実施の形態における商品陳列台において、図１及び図２と同一構成要素には同一符合を付してその説明を省略し、異なる点について主に説明する。すなわち、図９において、図１及び図２と異なる点は、嵌合部の形状である。すなわち、基台１０において嵌合縦溝を省略し、前方板１３及び後方板１１の上方端に左右方向に延出する係合凹溝１３６、１１６を形成した点、及び仕切り板において後方側に嵌合凸部３１６及び前方側に嵌合凸部３１７を有するようにした点である。このような構成の商品陳列台１ｄは前方板１３及び後方板１１の上方端に形成される係合凹溝１３６、１１６と仕切り板の嵌合凸部３１７、３１６が嵌合し、左右移動が自在であり、商品陳列台１と同様の効果を奏する。なお、係合凹溝１３６、１１６と嵌合凸部３１７、３１６の締り具合は、少し堅めとすることが商品を確実に区画することができる点で好ましい。
【００１７】
次に、本発明の第６の実施の形態における商品陳列台を図１０を参照して説明する。図１０は本実施の形態例の商品陳列台の斜視図である。第６の実施の形態における商品陳列台において、図９と同一構成要素には同一符合を付してその説明を省略し、異なる点について主に説明する。すなわち、図１０において、図９と異なる点は、嵌合部の形状である。すなわち、基台１０の前方板１３及び後方板１１の上方端に形成される嵌合部を、左右方向に延出する係合凸部１３７、１１７とした点、及び仕切り板において後方側に嵌合凹溝３１８及び前方側に嵌合凸部３１９を有するようにした点である。このような構成の商品陳列台１ｅは前方板１３及び後方板１１の上方端に形成される係合凸部１３７、１１７と仕切り板の嵌合凹溝３１９、３１８が嵌合し、左右移動が自在であり、商品陳列台１ｄと同様の効果を奏する。なお、同様に係合凸部１３７、１１７と嵌合凹溝３１９、３１８の締り具合は、少し堅めとすることが商品を確実に区画することができる点で好ましい。
【００１８】
次に、本発明の第７の実施の形態における商品陳列台を図１１を参照して説明する。図１１は本実施の形態例の商品陳列台の斜視図である。第７の実施の形態における商品陳列台において、図１及び図２と同一構成要素には同一符合を付してその説明を省略し、異なる点について主に説明する。すなわち、図１１において、図１及び図２と異なる点は、仕切り板の形状である。すなわち、仕切り板３０ｆにおいて設置形態において矩形断面形状となるようにし、前方の輪郭が大きな四角形部分に「ａｐｐｌｅ」のようなキャッチコピーを描いている。このような構成の商品陳列台１ｅは顧客に斬新な陳列形態を演出することができると共に、商品陳列台１と同様の効果を奏する。  
【図面の簡単な説明】
【００１９】
【図１】第１の実施の形態例の商品陳列台の斜視図である。
【図２】図１の商品陳列台の分解斜視図である。
【図３】第２の実施の形態例の商品陳列台の斜視図である。
【図４】図３の商品陳列台の分解斜視図である。
【図５】第３の実施の形態例の商品陳列台の斜視図である。
【図６】図５の商品陳列台の分解斜視図である。
【図７】第４の実施の形態例の商品陳列台の斜視図である。
【図８】図７の商品陳列台の分解斜視図である。
【図９】第５の実施の形態例の商品陳列台の斜視図である。
【図１０】第６の実施の形態例の商品陳列台の斜視図である。
【図１１】第７の実施の形態例の商品陳列台の斜視図である。
【図１２】（Ａ）は従来の商品陳列台の分解斜視図であり、（Ｂ）は（Ａ）の組み付け後の商品陳列台の斜視図である。
【図１３】（Ａ）は従来の他の商品陳列台の分解斜視図であり、（Ｂ）は（Ａ）の組み付け後の商品陳列台の斜視図である。
【符号の説明】
【００２０】
１、１ａ〜１ｆ    商品陳列台
１０、１０ａ〜１０ｆ      基台
１１              後方板
１２              底板
１３              前方板
１４              中間板
２０、２０ａ〜２０ｆ、２２、２３        陳列台
２１、２１ａ〜２１ｆ                    陳列面
３０、３０ａ〜３０ｆ        仕切り板
１１１、１１３、１１４、１３１          嵌合縦溝
３１１            前方併合片            
３１２            後方係合片
【図１】
2006020844.tif 000003
【図２】
2006020844.tif 000004
【図３】
2006020844.tif 000005
【図４】
2006020844.tif 000006
【図５】
2006020844.tif 000007
【図６】
2006020844.tif 000008
【図７】
2006020844.tif 000009
【図８】
2006020844.tif 000010
【図９】
2006020844.tif 000011
【図１０】
2006020844.tif 000012
【図１１】
2006020844.tif 000013
【図１２】
2006020844.tif 000014
【図１３】
2006020844.tif 000015